(57)【要約】【課題】反射傘に対してトリガー電極を確実に接続することができ、この接続及びトリガー電極の取り外しを容易且つ迅速に行うことができるストロボ装置を提供する。【解決手段】前面に開口部１を形成した枠体２と、枠体２の開口部１に前方から嵌入される反射傘３と、反射傘３に内挿される直管形状の閃光放電管４と、反射傘３の外面に接続されるトリガー電極５と、枠体２の前面に配置される光学パネル６とを備え、トリガー電極５にトリガー電圧を印加することで閃光放電管４から発せられた光を反射傘３で集光し光学パネル６を介して被写体に照射するストロボ装置において、枠体２は開口部１に嵌入された反射傘３の頂部が介在するように、所定間隔を有して配置された一対の支持部８，８を備え、トリガー電極５は前記一対の支持部８に跨って配置可能且つ弾性変形可能に構成されたことを特徴とする。【選択図】  図１
2004334100.tif 000002
【特許請求の範囲】
【請求項１】
前面に開口部を形成した枠体と、この枠体の前記開口部に前方から嵌入される金属材料からなる反射傘と、この反射傘に内挿される直管形状の閃光放電管と、前記反射傘の外面に接続されるトリガー電極と、前記枠体の前面に配置される光学パネルとを備え、前記トリガー電極にトリガー電圧を印加することで前記閃光放電管を励起して発光させ、前記閃光放電管から発せられた光を反射傘で集光し光学パネルを介して被写体に照射するように構成されたストロボ装置において、前記枠体は、前記開口部に嵌入された反射傘の頂部が介在するように、所定間隔を有して配置された一対の支持部を備え、前記トリガー電極は、前記一対の支持部に跨って配置可能、且つ弾性変形可能に構成されたことを特徴とするストロボ装置。
【請求項２】
枠体及びトリガー電極は、トリガー電極が一対の支持部に跨って配置された状態で、互いに係合する係合手段を備えてなる請求項１に記載のストロボ装置。
【請求項３】
係合手段は、枠体又はトリガー電極の何れか一方に設けられた係合穴と、前記枠体又は前記トリガー電極のいずれかの他方に設けられ前記係合穴に挿入可能に突設された係合突部とで構成されてなる請求項２記載のストロボ装置。
【発明の詳細な説明】
【０００１】
【発明の属する技術分野】
本発明は、銀塩フィルム用カメラ、電荷結合素子（ＣＣＤ）或いはＣＭＯＳセンサ等の撮像素子を備えたカメラを用いて撮影を行う際に人工照明源として有用されている閃光放電管を備えたストロボ装置に関する。
【０００２】
【従来の技術】
従来から、カメラで写真撮影を行うに際し、人工照明として用いられるストロボ装置がカメラに組み込まれて多用されている。
【０００３】
かかるストロボ装置は、前面に開口部を形成した枠体と、前方から開口部に嵌入された金属材料の反射傘と、この反射傘に内挿され反射傘の底面部に押圧された直管状の閃光放電管と、前記反射傘の外面に電気的に接続されたトリガー電極と、枠体の前面に配置された光学パネルとを備え、閃光放電管のガラスバルブ外周に施された導電性被膜が反射傘の底面と電気接続されたものがある。
【０００４】
閃光放電管を励起するトリガー電極は、トリガートランスの出力リード線が半田付けされた銅箔等の導電性材料を、両面に粘着層の形成された導電性を有するテープ（いわゆる、両面粘着テープ）を介して反射傘に貼着されて構成されている。
【０００５】
このように構成されたストロボ装置は、トリガートランスの出力リード線、導電性材料、反射傘を介して閃光放電管の導電性被膜にトリガー電圧を印加することで、閃光放電管を励起して発光させ、この発光による光を反射傘で集光し、光学パネルを介して被写体に照射できるようになっている。
【０００６】
また、近年において、カメラ市場はアナログカメラからデジタルカメラに推移し、さらにデジタルカメラの小型化、薄型化が進む中で、ストロボ装置の小型化も要求されている。
【０００７】
これに伴って、トリガーコイルに接続されたシート状のフレキシブル基板を反射傘に接続したものも提案されつつある。この種のフレキシブル基板は、一端部にトリガー電極としてトリガー電圧供給のための導電性パターンが形成されており、前記一端部が前記両面粘着テープを介して反射傘に貼着され、他端がトリガートランスの出力リード線に接続されることにより、ストロボ装置の小型化、薄型化を達成している。（特許文献１参照）
【０００８】
【特許文献１】
特開平１１−３２７００７号公報
【０００９】
【発明が解決しようとする課題】
ところで、ストロボ装置が故障したり、ストロボ装置のメンテナンスを行う際には、ストロボ装置を分解しなければならない場合がある。その場合には、トリガー電極を反射傘から取り外さなければならない場合があるが、両面粘着テープによる反射傘に対するトリガー電極（フレキシブル基板）の接続は、両面粘着テープの初期の接着性能に頼るものであるため、一度トリガー電極を反射傘から剥がすと、両面粘着テープの接着力が低下してしまう。
【００１０】
そのため、再組立に際し、接着力の低下した両面粘着テープを剥がした後に、新たな両面粘着テープを用いてトリガー電極を反射傘に接続しなければならず、作業が繁雑であった。
【００１１】
したがって、本発明は、斯かる実情に鑑み、反射傘に対してトリガー電極を確実に接続することができ、この接続及びトリガー電極の取り外しを容易且つ迅速に行うことができるストロボ装置を提供することを目的とする。
【００１２】
【課題を解決するための手段】
本発明にかかるストロボ装置は、請求項１記載の如く、前面に開口部を形成した枠体と、この枠体の前記開口部に前方から嵌入される金属材料からなる反射傘と、この反射傘に内挿される直管形状の閃光放電管と、前記反射傘の外面に接続されるトリガー電極と、前記枠体の前面に配置される光学パネルとを備え、前記トリガー電極にトリガー電圧を印加することで前記閃光放電管を励起して発光させ、前記閃光放電管から発せられた光を反射傘で集光し光学パネルを介して被写体に照射するように構成されたストロボ装置において、前記枠体は、前記開口部に嵌入された反射傘の頂部が介在するように、所定間隔を有して配置された一対の支持部を備え、前記トリガー電極は、前記一対の支持部に跨って配置可能、且つ弾性変形可能に構成されたことを特徴とする。
【００１３】
上記構成のストロボ装置によれば、枠体は、開口部に嵌入された反射傘の頂部が介在するように、所定間隔を有して配置された一対の支持部を備え、トリガー電極は、一対の支持部に跨って配置可能で且つ弾性変形可能に構成されているので、トリガー電極を、一対の支持部に跨って配置した状態で反射傘を開口部に嵌入すると、反射傘の頂部によってトリガー電極が押圧されることとなる。この状態でトリガー電極は、一対の支持部を支点にして、一対の支持部間に向けて弾性変形する。このトリガー電極の変形に伴って、反射傘には、当該トリガー電極の弾性力が作用することとなり、トリガー電極が密接した状態となって反射傘に接続された状態となる。このように、トリガー電極が反射傘に密接することで、トリガー電極と反射傘との接続が確実なものになる。
【００１４】
また、枠体の開口部に嵌入された反射傘を取り外せば、反射傘の頂部がトリガー電極から離間し、トリガー電極は押圧状態から解除された状態になるので、トリガー電極を容易に取り外すことができる。
【００１５】
また、請求項２記載の如く、枠体及びトリガー電極は、トリガー電極が一対の支持部に跨って配置された状態で互いに係合する係合手段を備えることが好ましい。このようにすることで、ストロボ装置に振動や衝撃が加わっても、係合手段の係合により、枠体及びトリガー電極が一定の位置で維持することとなるので、トリガー電極と反射傘との接続位置が一定になり、これらの接続を確実に維持することができる。
【００１６】
この場合、請求項３記載の如く、係合手段は、枠体又はトリガー電極の何れか一方に設けられた係合穴と、前記枠体又は前記トリガー電極のいずれかの他方に設けられ前記係合穴に挿入可能に突設された係合突部とで構成されことが好ましく、このようにすれば、簡易な構成で枠体とトリガー電極との接続を更に確実なものにすることができる。
【００１７】
【発明の実施の形態】
以下、本発明の一実施形態にかかるストロボ装置について、添付図面を参照しつつ説明する。
【００１８】
本実施形態にかかるストロボ装置は、図１に示す如く、前面に開口部１を形成した枠体２と、この枠体２の開口部１に前方から嵌入される例えばアルミニウム金属材料からなる反射傘３と、反射傘３に内挿される棒状の閃光放電管４と、反射傘３の外面に電気的に接続されるトリガー電極５と、枠体２の前面に配置される光学パネル６とを備えている。
【００１９】
枠体２は、開口部１を略矩形状に形成して箱状に形成された絶縁性の樹脂成形体であり、枠体２の背面側の背面壁部７には、上下方向に所定間隔を有して一対の支持部８，８が設けられている。また、枠体２の下面側の下面壁部９には、トリガー電極５を挿入するスリット状の挿入口１０が、背面壁部７の内面に沿うように穿設されている。
【００２０】
具体的には、枠体２の背面壁部７の内面に長手方向に延びるように溝１１が形成されており、溝１１を形成する上下の開口端縁部で、前記一対の支持部８，８を形成している。
【００２１】
また、枠体２は、開口部１を形成する開口縁部の上下の端縁部に、嵌入された反射傘３が前方側に移動するのを規制し、反射傘３を保持する保持部１２が内側に向けて突設されている。
【００２２】
反射傘３は、枠体２の開口部１に嵌入可能に構成されており、所定形状の金属板を上下端同士が所定間隔を有するように湾曲させるとともに、該金属板の両側端部を折り曲げて形成され、前面に開口を形成している。該開口を形成する開口端縁部の上下の端縁部には、当該反射傘３を枠体２の開口部１に嵌入した状態で、枠体２の保持部１２が嵌り込む保持用凹部１３が形成されている。
【００２３】
また、反射傘３には、閃光放電管４を内挿する穴１４が、金属板の側端部を折り曲げて形成された側壁部に設けられており、穴１４は、閃光放電管４を挿入した際に、閃光放電管４の外周面に施された導電性被膜が、軸線方向で反射傘３の内周面に略接触するように配置されている。
【００２４】
閃光放電管４は、筒状のガラスバルブ１５と、該ガラスバルブ１５の両端部にビードガラス（図示しない）を介して取り付けられた主電極１６，１６とを備えており、ガラスバルブ１５内には、Ｘｅガスが封入され、さらにトリガー電圧が印加されたときに閃光放電管を励起するために、ガラスバルブ１５の外周面に上記した導電性被膜が施されている。
【００２５】
トリガー電極５は、挿入口１０から枠体２内に挿入できるように薄板状に形成されており、板厚方向に弾性変形可能に構成されている。また、該トリガー電極５は、挿入口１０を介して枠体２内に挿入された状態で、一対の支持部８，８に跨って配置できるように寸法設定されている。
【００２６】
さらにトリガー電極５について詳しく説明すると、トリガー電極５は、トリガートランス（図示しない）の出力端子に一端部が電機接続されたシート状で且つ帯状のフレキシブル基板１７の他端部であって、導電性パターンの形成された領域であり、トリガー電極５が一対の支持部８，８に跨って配置された状態で、枠体２に対してトリガー電極５を位置決めでき且つ係止できるように、枠体２及びトリガー電極５には、互いに係合する係合手段１８が設けられている。
【００２７】
この係合手段１８は、係合突部１９ａと、該係合突部１９ａが挿入される係合穴１９ｂとで構成されており、係合突部１９ａは、溝１１の下方側に位置して枠体２の背面壁部７の内面に前方に向けて突設されている。係合穴１９ｂは、トリガー電極５に穿設されており、トリガー電極５を挿入口１０から枠体２内に挿入して、一対の支持部８，８に跨った状態で、係合突部１９ａが挿入するように配置されている。
【００２８】
光学パネル６は、長方形状をなしたレンズ部２０と、このレンズ部２０の外周に所定幅で形成された縁部２１とで構成されている。
【００２９】
レンズ部２０は、例えば、光学パネル６の表面となる部分に光の集光作用を有するフレネルレンズからなる集光面が形成される一方、光学パネル６の裏面となる部分に、光の拡散作用を有する波形の拡散面が形成されたものである。縁部２１は、レンズ部２０と連続して形成されており、レンズ部２０が反射傘３の開口に対応配置された状態で枠体２の前面に当接して取り付けることができるようになっている。
【００３０】
上記構成のストロボ装置を組み立てるには、図２に示す如く、枠体２の挿入口１０にトリガー電極５を挿入し、該トリガー電極５を一対の支持部８，８に跨った状態に配置し、トリガー電極５の係合穴１９ｂに枠体２の係合突部１９ａが嵌り込んで互いに係合し、トリガー電極５が位置決めされた状態にする。
【００３１】
そして、閃光放電管４を内挿した反射傘３を、枠体２の開口部１に嵌入し、枠体２の保持部１２と、反射傘３の保持用凹部１３とを係合させる。そうすると、反射傘３の外面側の頂部が、一対の支持部８，８間（溝１１内）に介在しようとして、一対の支持部８，８間に跨って配置されたトリガー電極５を背面壁部７側に付勢（押圧）した状態となる。
【００３２】
この状態でトリガー電極５は、一対の支持部８，８によって支持され、一対の支持部８，８間で弾性変形し、この弾性変形による弾性力により反射傘３の底面部の外面（頂部）に反力を作用させて当接し、トリガー電極５が反射傘３に電気的に接続された状態になる。換言すれば、反射傘３を枠体２の開口部１に嵌入することで、反射傘３と一対の支持部７，７とでトリガー電極５が狭持された状態となり、狭持状態による反射傘３とトリガー電極５との接触により、これらが電気的に接続された状態になる。
【００３３】
その後、光学パネル６を枠体２の前面に取り付けることで、ストロボ装置の組み立てが完了する。なお、光学パネル６の枠体２への取り付けは、例えば、枠体２の前面枠の数箇所に突起を設け、光学パネルの縁部２１に設けた係合穴と前記突起との係合により取り付けるようにすれば良い。
一方、ストロボ装置を分解する場合には、光学パネル６、反射傘３を順次枠体２から取り外し、トリガー電極５を枠体２の前方側に湾曲させて、係合穴１９ｂと係合突部１９ａとの係合を解除した状態で、トリガー電極５を挿入口１０から引き出すことで、ストロボ装置の分解を行うことが出来る。
【００３４】
以上構成のストロボ装置によれば、枠体２の開口部１に嵌入した反射傘３の頂部が介在するように、枠体２に一対の支持部８，８を形成するとともに、トリガー電極５を一対の支持部８，８に跨って配置することができ、且つ弾性変形可能に構成したので、一対の支持部８，８に跨った状態でトリガー電極５を配置した状態で、反射傘３を枠体２に組み込むだけで、反射傘３と一対の支持部７，７とで狭持された状態となり、トリガー電極５を反射傘３に対して確実に電気的に接続することができる。
【００３５】
また、トリガー電極５が一対の支持部７，７に跨って配置された状態で、枠体２とトリガー電極５とが互いに係合する係合手段１８を設けたので、上記の如く、反射傘３にトリガー電極５を接続した状態で、トリガー電極５の位置決めを確実なものにすることができ、使用時における振動等で不用意に接続が解除されてしまうのを防止することができる。
【００３６】
さらに、係合手段１８を枠体２に突設した係合突部１９ａと、トリガー電極５に穿設した係合穴１９ｂとで構成したので、簡易な構成で枠体２とトリガー電極５とを確実に係合させることができる。
【００３７】
尚、本発明のストロボ装置は、上記実施形態に限定されるものではなく、本発明の要旨を逸脱しない範囲内において種々変更を加え得ることは勿論である。
【００３８】
上記実施形態において、枠体２の背面壁部７に溝１１を形成することで、反射傘３の頂部を介在させ得るように所定間隔を有して一対の支持部８，８を形成したが、一対の支持部８，８は溝１１を設けることで形成されたものに限定されるものではなく、一対の支持部８，８は、例えば、上下方向に所定間隔を有して枠体２の背面壁部７から前方に向けて突出した一対の突条、或いは突起等で構成してもよい。この場合においても、一対の突条（一対の支持部）間の間隔は、該突条間、或いは突起間に跨って配置されるトリガー電極５を反射傘３で付勢すべく、反射傘３の頂部が介在させ得るように設けることは勿論のことである。
【００３９】
上記実施形態において、トリガー電極５をフレキシブル基板１７の端部で構成したが、これに限定されるものではなく、トリガー電極５は、例えば、トリガートランスの出力リード線に接続した導線性を有した板材（好ましくは薄板材）で構成してもよい。この場合、トリガー電極５を構成する板材は、反射傘３の頂部による付勢により弾性変形可能なものを採用することは勿論のことである。
【００４０】
上記実施形態において、枠体２とトリガー電極５とを係合させる係合手段１８として、枠体２に突設した係合突部１９ａと、トリガー電極５に穿設した係合穴１９ｂとで構成したが、これに限定されるものではなく、例えば、係合突部１９ａをトリガー電極５に突設し、該係合突部１９ａと係合可能な係合穴１９ｂを枠体２の背面壁部７に穿設した構成であってもよい。
【００４１】
また、枠体２とトリガー電極５とを係合させる係合手段１８は、係合突部１９ａと係合穴１９ｂとで構成されたものに限定されるものではなく、枠体２及びトリガー電極５のそれぞれに、互いに係合可能な係合爪を設けるようにしても勿論よい。
【００４２】
また、上記実施形態において、係合手段１８を設けたが、これに限定されるものではなく、係合手段１８は、反射傘３とトリガー電極５との位置決めに作用するトリガー電極５の弾性力を考慮して必要に応じて設ければよい。
【００４３】
【発明の効果】
以上、説明したように、本発明にかかるストロボ装置によれば、前面に開口部を形成した枠体と、枠体の開口部に前方から嵌入される反射傘と、反射傘に内挿される直管形状の閃光放電管と、反射傘の外面に接続されるトリガー電極と、枠体の前面に配置される光学パネルとを備え、トリガー電極にトリガー電圧を印加することで、閃光放電管を励起し発光させ、閃光放電管から発せられた光を反射傘で集光し、光学パネルを介して被写体に照射するように構成されたストロボ装置において、枠体は、開口部に嵌入された反射傘の頂部が介在するように、所定間隔を有して配置された一対の支持部を備え、トリガー電極は、一対の支持部に跨って配置可能、且つ弾性変形可能に構成されているので、反射傘に対してトリガー電極を確実に接続することができ、該接続及びトリガー電極の取り外しを容易且つ迅速に行うことができる。
【図面の簡単な説明】
【図１】本発明の一実施形態にかかるストロボ装置の分解斜視図
【図２】同実施形態にかかるストロボ装置を組み立てた状態の横断面図
【符号の説明】
１  開口部
２  枠体
３  反射傘
４  閃光放電管
５  トリガー電極
６  光学パネル
８  支持部
１８  係合手段
１９ａ  係合突部
１９ｂ  係合穴
【図１】
2004334100.tif 000003
【図２】
2004334100.tif 000004